(57)【要約】【課題】構造が簡単で、コストが低廉で、スラットの端面において整った平坦性を有し、遮蔽カーテンとスラットの位置決め効果が良好な遮蔽掛架式カーテン布を有するブラインドを提供する。【解決手段】ブラインド構造１０および若干の遮蔽カーテン２０により構成される。ブラインド構造１０はヘッドレール１１、ボトムレール１２、多数個のスラット１３を挟設する２本のラダーコード１４から構成される。遮蔽カーテン２０は、遮蔽体２１と１個の支持部品２２からなり、遮蔽体２１は１個の穿合部２１１および若干の切欠き２１２を有する。各切欠き２１２は穿合部２１１に設けられかつ各ラダーコード１４の位置に対応する。支持部品２２は穿合部２１１を穿通し、切欠き２１２と支持部品２２の間に１個の位置決め空間を形成する。各位置決め空間により遮蔽体２１を等高に位置決めし、ブラインド構造１０の同側の各ラダーコード１４に穿通させる。【選択図】    図１
2004183465.tif 000002
【特許請求の範囲】
【請求項１】
１個のブラインド構造および若干の遮蔽カーテンを備えた遮蔽掛架式カーテン布を有するブラインドであって、
該ブラインド構造は１個のヘッドレール、１個のボトムレール、多数個のスラットおよび２本のラダーコードより構成され、各ラダーコードは各スラットあるいはボトムレールを挟設し、各スラットを該ヘッドレールと該ボトムレールとの間に位置させ、
各遮蔽カーテンは１個の遮蔽体と１個の支持部品を有し、該遮蔽体は１個の穿合部および若干の切欠きを有し、該穿合部は該遮蔽体の１側辺にあり、該支持部品を穿通する１個の穿通空間を形成し、各切欠きは、該穿合部周縁に設けられ、かつ該ブラインド構造の縦コードの位置に対応して、該支持部品と共に１個の位置決め空間を構成し、該支持部品は、長さが該支持部品の長さと等しく、各ラダーコードの該同側の縦コードと伴に、該遮蔽体を該穿合部でまとめ合わせ各ラダーコード上に穿通させることを特徴とする遮蔽掛架式カーテン布を有するブラインド。
【請求項２】
該支持部品と長さが等しい１個のおもり部品を有し、該遮蔽体は１個のおもり部を有し、該おもり部は長辺の別の１側辺に設置され、該おもり部品を収納可能な１個の収納空間が形成されていることを特徴とする請求項１記載の遮蔽掛架式カーテン布を有するブラインド。
【請求項３】
該遮蔽体は２個の套合部を有し、該套合部は１個の布製カバーであり、該穿合部の両端に近接する部分にそれぞれ連結され、その内部には該スラットの端部を套合する１個の孔が形成されていることを特徴とする請求項１記載の遮蔽掛架式カーテン布を有するブラインド。
【請求項４】
該ラダーコードは２本の縦コード、若干の上横コードおよび若干の下横コードを有し、各縦コードはその１端が該ヘッドレールに連結され、各上横コードおよび各下横コードは両端が各縦コードに連結され共同で１個の孔を形成し、各支持部品は各ラダーコード中の該スラットの高度の各上横コード上を穿通することを特徴とする請求項１記載の遮蔽掛架式カーテン布を有するブラインド。
【請求項５】
１個のブラインド上に配置され、１個の支持部品と１個の遮蔽体とを備えた遮蔽カーテンであって、該遮蔽体は１個の穿合部および若干の切欠きを有し、該穿合部は該遮蔽体の１辺側にあって、該支持部品が穿通可能な１個の穿通空間が形成され、各切欠きは該穿合部に設けられ、該支持部品と共に１個の位置決め空間を構成することを特徴とする遮蔽カーテン。
【請求項６】
１個のおもり部品を有し、該遮蔽体は１個のおもり部を有し、該おもり部は該遮蔽体の別の１辺側に設けられ、該おもり部品を収納可能な１個の収納空間が形成されていることを特徴とする請求項５記載の遮蔽カーテン。
【請求項７】
２個の套合部を有し、該套合部は１個の布製カバーであり、該穿合部の両端に近接する部分にそれぞれ連結され、その内部には１個の套合空間が形成されていることを特徴とする請求項５記載の遮蔽カーテン。
【発明の詳細な説明】
【０００１】
【発明の属する技術分野】
本発明はカーテンに関し、特に１種の遮蔽カーテンを掛架するブラインドに関する。
【０００２】
【従来の技術】
一般のブラインドにおける光線透過遮断効果をさらに高め、適度にその全体の美観を向上させるために、面積がブラインド開放時の面積とほぼ等しい１枚の布製カーテンを、組合方式でブラインドのスラット上に結合させ、布製カーテンとブラインドのスラットとの結合により遮光の効果を増加させる。また布製カーテンの柔和な質感により全体の美観を高める。しかし、前述の方法には僅かな設計上の欠陥があり、製品の特性を完全に発揮することができない。その欠点とは布製カーテンのブラインドとの接合構造が非常に複雑であることに他ならず、このため製造および販売の費用が高くなり過ぎ、消費者の好評を得ることができない。また、布製カーテンとスラットの組立順序は非常に複雑で煩わしく、消費者が自分で組立あるいは分解をするのは容易ではない。その他、該ブラインドが該布製カーテンと結合された後、全体の平衡性は良好でなく、またスラットを収納開放する時に布製カーテンとの間に干渉の状況が発生し、もともと布製カーテンによりブラインドの遮光効果を増加させようとしたアイディアが、かえって消費者にとって不便なものになっている。以上の欠点に焦点を合わせて、本発明者は早期に、布製カーテンとブラインドのスラットの結合により、光をやわらげる、あるいは遮蔽する効果を提供する１種の布製カーテンのブラインドを研究開発した。（特許文献１参照）
【特許文献１】
新型特許申請案件第９１２０４７３４号
【０００３】
【発明が解決しようとする課題】
該申請案件には多くの構造が開示されているが、しかし開示した構造においてはセット方式により布製カーテンをブラインドのスラットに結合させており、布製カーテンを分解したい時はブラインドのラダーコードを分解しなければならず、使用者にとっては相当不便である、あるいは別に開示されている布製カーテン構造は独立して分解できるが、自身の重量により中央が垂れ下がってしまい、その遮蔽および美観の効果が低下する、換言すれば、該申請案件は、上述の容易に分解組立できることおよび整った美観という２つの要求を同時に満足することはできない、上述の考察に鑑み、長年の機械装置の研究開発に従事した経験を活用して、詳細に思考し、この１種の遮蔽掛架式カーテン布を有するブラインドを考案した。
【０００４】
本発明の主要な目的は、１個の遮蔽カーテンがスラットの端面において整った平坦性を有する１種の遮蔽掛架式カーテン布を有するブラインドを提供することである。
本発明の２番目の目的は、遮蔽カーテンとスラットの位置決め効果が良好な１種の遮蔽掛架式カーテン布を有するブラインドを提供することである。
本発明のもう１つの目的は、構造が簡単で、組立分解が容易で、またコストが低廉な１種の遮蔽掛架式カーテン布を有するブラインドを提供することである。
【０００５】
【課題を解決するための手段】
上述の目的を達成するために、本発明の請求項に記載の遮蔽掛架式カーテンを有するブラインドは、主として１個のブラインド構造および若干の遮蔽カーテンにより構成される。該ブラインド構造は以下の内容を含む。１個のヘッドレール、１個のボトムレール、多数個のスラットおよび２本のラダーコード、各ラダーコードは該スラットを挟設し該ヘッドレールと該ボトムレールの間に位置させる。各遮蔽カーテンは以下の内容を含む。１個の遮蔽体と１個の支持部品、該遮蔽体は１個の穿合部および若干の切欠きを有し、該穿合部は該遮蔽体の１側辺に設けられている。各切欠きは該穿合部に設けられかつ各ラダーコードの位置に対応する。該支持部品は該穿合部を穿通し、各切欠きと該支持部品の間に１個の位置決め空間を形成する。各位置決め空間により該遮蔽体を等高に位置決めし、該ブラインド構造の同側の各ラダーコードに穿通させる。
【０００６】
【発明の実施の形態】
以下、本発明の実施例を図面に基づいて説明する。
まず、図１および図２に示すように、本発明の第１の比較的よい実施例が提供する１種の遮蔽掛架式カーテン布を有するブラインド１は、主として１個のブラインド構造１０および若干の遮蔽カーテン２０を有する。
【０００７】
ブラインド構造１０は以下の内容を含む。１個のヘッドレール１１、１個のボトムレール１２、若干のスラット１３および２本のラダーコード１４。ヘッドレール１１は窓の上方に固設される。ボトムレール１２はヘッドレール１１の下方に設置される。各スラット１３はヘッドレール１１とボトムレール１２の間に位置する。各ラダーコード１４は２本の縦コード１４１、若干の上横コード１４２および若干の下横コード１４３を有し、各縦コードは該ヘッドレール１１の１側辺に連結され、各上横コード１４２と各下横コード１４３は両端が各縦コード１４１に連結され共同で１個の孔を形成する。各スラット１３あるいはボトムレール１２を挟設し、各スラット１３を該ヘッドレール１１と該ボトムレール１２の間に位置させ、ラダーコード１４を引き動かすことにより各スラット１３を連動させその傾斜角度を変化させる。上述の内容は従来装置であるため、これ以上詳述しないことをお許しいただきたい。
【０００８】
該若干の遮蔽カーテン２０の数量は該ブラインド構造１０のスラット１３の数量の半分であり、各遮蔽カーテン２０は１個の遮蔽体２１、１個の支持部品２２を含む。該遮蔽体２１は長方形で半透明の材質により形成され、その長辺の長さは該スラット１３の長さと同等であり、短辺の長さは隣接するスラットが展開した時の距離の２倍である。１個の穿合部２１１、若干の切欠き２１２を有し、該穿合部２１１は該遮蔽体２１の１個の長辺側にあり、該支持部品２２が穿通可能な１個の穿通空間が形成されている。各切欠き２１２は該穿合部２１１の周縁に設けられ、かつその位置は該ラダーコード１４の位置に対応し、該支持部品２２と共に１個の位置決め空間２１３を構成する。図３および図４に示すように、該支持部品２２の長さは該スラット１３の長さと同等であり、組立時、該遮蔽体２１の該穿合部２１１を、各ラダーコード１４中の該スラット１３の奇数個目スラット（例えば第１、３、５…等）の高度にある各上横コード１４２上に整列させ、該支持部品２２を該遮蔽体２１の該穿合部２１１に穿通させ、該位置決め空間２１３により該遮蔽体２１を各ラダーコード１４の該同側の縦コード１４１上に位置決めする。
【０００９】
この比較的よい実施例の主な優位点は以下にある。
１、遮蔽カーテンによりブラインドのスラットの隙間を補うことにより、強い光を遮る機能を提供し、また各遮蔽カーテンと各スラットは互いに連結していないので、本実施例を収納する時、遮蔽カーテンが折れ曲がり挟まれて皺の跡がつくことを防止可能である。
【００１０】
２、支持部品の直線の剛性を利用して、スラットの直線の端縁に整列して組み合わされているので、遮蔽カーテン自身の重量で中央が垂れ下がるのを防止し、遮蔽カーテンにスラット端面における整った平坦性を保持させる。
【００１１】
３、ラダーコードを除いては、本実施例を組立てる時その他の部品と接合する必要がなく、組立時の造形の変化性を向上させ、遮蔽カーテンを洗いたい時は、遮蔽カーテンを分解するために該支持部品を抜き取るだけでよく、また組立順序もごく簡単であり、使用者にとって非常に便利である。
【００１２】
図５は、本発明の第２の比較的よい実施例を示す。該ヘッドレール１１にさらに１個の填隙遮蔽カーテン３１を組み合わせ、ヘッドレール１１から第１スラット１３Ａまでの隙間を遮蔽し、該遮蔽掛架式カーテン布を有するブラインド１に統一感のある美観が生じる。
【００１３】
図６から図８に示すように、本発明の第３の比較的よい実施例は、第１の比較的よい実施例と比較しての差異は該遮蔽カーテン２０にある。各遮蔽カーテン２０はさらに１個のおもり部品２３を有する。各おもり部品２３は１個の相当の重量を有する細長い棒体であり、該棒体の長さは各スラット１３の長軸方向の長さとほぼ同等である。各遮蔽カーテン２０の該遮蔽体２１はさらに１個のおもり部２１４を有し、該おもり部２１４は該長辺の別の１側辺に設置され、該おもり部品２３を収納可能な１個の収納空間を形成する。該遮蔽カーテン２０の数量と該スラット１３の数量は等しく、また各遮蔽カーテン２０の短辺の長さは隣接するスラットが展開した時の距離とほぼ同等である。組立時、該遮蔽体２１の該穿合部２１１を、各ラダーコード１４中の該スラット１３の高度にある各上横コード１４２上に整列させ、該支持部品２２を該遮蔽体２１の該穿合部２１１に穿通させ、該位置決め空間２１３により該遮蔽体２１を各ラダーコード１４の該同側の縦コード１４１上に位置決めする。本実施例と上述の実施例を比較すると、上述の実施例の優位点を有する他に、おもり部品の設置によって、遮蔽カーテンを自然に安定して垂下する状態にでき、スラット収納時に遮蔽カーテンが軽重量のために動いてスラットの間に挟まれるという現象が起こるのを減少することが可能となる。また、おもり部品の長さは遮蔽体の長さと等しいため、おもり部品本体の重量が平均して遮蔽カーテンを伸張し、遮蔽カーテンの周縁が日光の影響により巻曲することを低減可能である。
【００１４】
図９から図１０は、本発明の第４の比較的よい実施例である。第２実施例と比較しての差異は、該遮蔽カーテン２０が異なる点にある。そのうち各遮蔽カーテン２０の該穿合部の両端には、さらに１個の套合部２１５を有する。該套合部２１５は２個の布製カバーであり、その内部には該スラット１３の両端を套合する１個の孔が形成されている。本実施例と上述の実施例を比較すると、上述の実施例の優位点を有する他に、該套合部により遮蔽カーテンとスラットが連結されているため、遮蔽カーテンとスラット間の隙間がさらに縮小可能なほか、遮蔽カーテンの両端がスラットを平坦にし、美観を増すことが可能である。
【００１５】
本発明は同類の製品中、極めて進歩性を有し、また使用においても実用利便性を有し、さらに本発明の申請前、同等の製品は刊行物においても、無公開の使用においても未見であることから、本発明は確かに新規特許の要件を備えており、発明者の心血を注いだ苦心を保障するために法に基づき本発明の申請を提出するものである。
ただし、以上に開示した実施例は、ただ本発明の比較的よい実施方式に過ぎず、本発明の明細書および特許請求の範囲で述べた内容を応用することは、すべて本発明の主旨にのっとるものであり、本発明の特許範囲に含まれるものと見なす。
【図面の簡単な説明】
【図１】本発明の第１実施例による遮蔽掛架式カーテン布を有するブラインドを示す分解立体図である。
【図２】本発明の第１実施例による遮蔽掛架式カーテン布を有するブラインドを示す全体立体図である。
【図３】本発明の第１実施例による遮蔽掛架式カーテン布を有するブラインドを示す局部拡大図である。
【図４】本発明の第１実施例による遮蔽掛架式カーテン布を有するブラインドを示す局部拡大側面図である。
【図５】本発明の第２実施例による遮蔽掛架式カーテン布を有するブラインドを示す全体立体図である。
【図６】本発明の第３実施例による遮蔽掛架式カーテン布を有するブラインドを示す分解立体図である。
【図７】本発明の第２実施例による遮蔽掛架式カーテン布を有するブラインドを示す全体立体図である。
【図８】本発明の第２実施例による遮蔽掛架式カーテン布を有するブラインドを示す局部拡大側面図である。
【図９】本発明の第４実施例による遮蔽掛架式カーテン布を有するブラインドを示す分解立体図である。
【図１０】本発明の第２実施例による遮蔽掛架式カーテン布を有するブラインドを示す全体立体図である。
【符号の説明】
１    遮蔽掛架式カーテン布を有するブラインド
１０    ブラインド構造
１１    ヘッドレール
１２    ボトムレール
１３    スラット
１３Ａ  第１スラット
１４    ラダーコード
２０    遮蔽カーテン
２１    遮蔽体
２２    支持部品
２３    おもり部品
３１    填隙遮蔽カーテン
１４１    縦コード
１４２    上横コード
１４３    下横コード
２１１    穿合部
２１２    切欠き
２１３    位置決め空間
２１４    おもり部
２１５    套合部
【図１】
2004183465.tif 000003
【図２】
2004183465.tif 000004
【図３】
2004183465.tif 000005
【図４】
2004183465.tif 000006
【図５】
2004183465.tif 000007
【図６】
2004183465.tif 000008
【図７】
2004183465.tif 000009
【図８】
2004183465.tif 000010
【図９】
2004183465.tif 000011
【図１０】
2004183465.tif 000012